(57)【特許請求の範囲】
【請求項１】
利用者の携帯端末と特定距離以下になったとき、前記携帯端末に商品に関する情報を送信する第１の無線通信手段と、前記第１の無線通信手段の受信内容に応じて商品販売を制御する制御手段と、を備えた自動販売機と、
前記自動販売機と前記特定距離以下になったとき、前記商品に関する情報を受信して表示する表示手段と、前記表示手段の表示内容に基づいて、前記自動販売機に希望商品を販売要求するための情報を送信する第２の無線通信手段と、を備えた前記携帯端末と、
から成ることを特徴とする自動販売機の商品販売システム。
【請求項２】
前記商品に関する情報は、広告情報であることを特徴とする請求項１記載の自動販売機の商品販売システム。
【請求項３】
前記商品に関する情報は、アンケート情報であって、前記第１の無線通信手段は、前記アンケート情報に回答した利用者の前記携帯端末に、商品を割引販売するための情報を送信することを特徴とする請求項１記載の自動販売機の商品販売システム。
【請求項４】
前記商品に関する情報は、利用者が商品を割引購入する際に必要となるパスワードを要求する情報であって、前記制御手段は、前記第１の無線通信手段が正当なパスワードを受信することによって、商品を割引販売させることを特徴とする請求項１記載の自動販売機の商品販売システム。
【請求項５】
前記パスワードは、利用者がインターネット上の特定のサイトから得たものであることを特徴とする請求項４記載の自動販売機の商品販売システム。
【請求項６】
前記携帯端末は、少なくとも利用者が利用する金融機関の口座情報を予め記憶した記憶媒体を有し、前記自動販売機は、前記口座情報と商品を販売したときの金額情報とを関連付けて記憶する記憶手段を有することを特徴とする請求項１乃至５の何れかに記載の自動販売機の商品販売システム。
【請求項７】
前記記憶媒体は、前記携帯端末と着脱自在に外部接続されるとともに、情報を書き換え可能なメモリを内蔵したＩＣカードであることを特徴とする請求項６記載の自動販売機の商品販売システム。
【請求項８】
前記自動販売機は、前記記憶手段に記憶された口座情報および金額情報を通信回線を介して前記金融機関に送信し、
前記金融機関は、前記口座情報および前記金額情報に基づいて、利用者の口座から必要金額を引き落とすとともに、前記自動販売機を管理する営業所等の口座に振り込むことを特徴とする請求項６または７記載の自動販売機の商品販売システム。
【請求項９】
前記記憶手段は、前記営業所等の口座情報を予め記憶し、前記自動販売機は、前記営業所等の口座情報を前記利用者の口座情報および金額情報とともに前記金融機関に送信することを特徴とする請求項８記載の自動販売機の商品販売システム。
【請求項１０】
前記携帯端末は、商品を購入するための価値情報を予め記憶する記憶手段を有し、前記自動販売機は、前記記憶手段の価値情報を、商品を販売する毎にこの商品の金額情報を減算した情報に書き換える書換手段を有することを特徴とする請求項１乃至５の何れかに記載の自動販売機の商品販売システム。
【請求項１１】
前記記憶手段は、前記携帯端末に内蔵されるとともに、情報を書き換え可能な不揮発性メモリであることを特徴とする請求項１０記載の自動販売機の商品販売システム。
【請求項１２】
前記自動販売機と前記特定距離以下の範囲に設置されるとき、前記自動販売機の前記第１の無線通信手段との間で情報を送受信する第３の無線通信手段を備えた前記営業所等のための管理端末、から成ることを特徴とする請求項１乃至１１の何れかに記載の自動販売機の商品販売システム。
【請求項１３】
前記自動販売機と前記特定距離以上の範囲に設置されるとき、前記管理端末は通信回線を介して前記自動販売機との間で情報を送受信することを特徴とする請求項１２記載の自動販売機の商品販売システム。
【請求項１４】
前記管理端末は、少なくとも、商品に関する情報と自動販売機の動作に関する制御情報とを前記自動販売機に送信し、前記自動販売機は、少なくとも、販売情報と故障情報とを前記管理端末に送信することを特徴とする請求項１２または１３記載の自動販売機の商品販売システム。
【請求項１５】
利用者の携帯端末と特定距離以下になったとき、前記携帯端末に商品に関する情報を送信する第１の無線通信手段と、前記第１の無線通信手段の受信内容に応じて商品販売を制御する制御手段と、を備えた自動販売機であって、
前記自動販売機と前記特定距離以下になったとき、前記商品に関する情報を受信して表示する表示手段と、前記表示手段の表示内容に基づいて、前記自動販売機に希望商品を販売要求するための情報を送信する第２の無線通信手段と、を備えた前記携帯端末との間で、情報を送受信することを特徴とする自動販売機。
【請求項１６】
前記商品に関する情報は、広告情報であることを特徴とする請求項１５記載の自動販売機。
【請求項１７】
前記商品に関する情報は、アンケート情報であって、前記第１の無線通信手段は、前記アンケート情報に回答した利用者の前記携帯端末に、商品を割引販売するための情報を送信することを特徴とする請求項１５記載の自動販売機。
【請求項１８】
前記商品に関する情報は、利用者が商品を割引購入する際に必要となるパスワードを要求する情報であって、前記制御手段は、前記第１の無線通信手段が正当なパスワードを受信することによって、商品を割引販売させることを特徴とする請求項１５記載の自動販売機。
【請求項１９】
前記パスワードは、利用者がインターネット上の特定のサイトから得たものであることを特徴とする請求項１８記載の自動販売機。
【請求項２０】
前記携帯端末は、少なくとも利用者が利用する金融機関の口座情報を予め記憶した記憶媒体を有し、前記自動販売機は、前記口座情報と商品を販売したときの金額情報とを関連付けて記憶する記憶手段を有することを特徴とする請求項１５乃至１９の何れかに記載の自動販売機。
【請求項２１】
前記記憶媒体は、前記携帯端末と着脱自在に外部接続されるとともに、情報を書き換え可能なメモリを内蔵したＩＣカードであることを特徴とする請求項２０記載の自動販売機。
【請求項２２】
前記自動販売機は、前記記憶手段に記憶された口座情報および金額情報を通信回線を介して前記金融機関に送信し、
前記金融機関は、前記口座情報および前記金額情報に基づいて、利用者の口座から必要金額を引き落とすとともに、前記自動販売機を管理する営業所等の口座に振り込むことを特徴とする請求項２０または２１記載の自動販売機。
【請求項２３】
前記記憶手段は、前記営業所等の口座情報を予め記憶し、前記自動販売機は、前記営業所等の口座情報を前記利用者の口座情報および金額情報とともに前記金融機関に送信することを特徴とする請求項２２記載の自動販売機。
【請求項２４】
前記携帯端末は、商品を購入するための価値情報を予め記憶する記憶手段を有し、前記自動販売機は、前記記憶手段の価値情報を、商品を販売する毎にこの商品の金額情報を減算した情報に書き換える書換手段を有することを特徴とする請求項１５乃至１９の何れかに記載の自動販売機。
【請求項２５】
前記記憶手段は、前記携帯端末に内蔵されるとともに、情報を書き換え可能な不揮発性メモリであることを特徴とする請求項２４記載の自動販売機。
【請求項２６】
前記自動販売機と前記特定距離以下の範囲に設置されるとき、前記自動販売機の前記第１の無線通信手段との間で情報を送受信する第３の無線通信手段を備えた前記営業所等のための管理端末、を設けることを特徴とする請求項１５乃至２５の何れかに記載の自動販売機。
【請求項２７】
前記自動販売機と前記特定距離以上の範囲に設置されるとき、前記管理端末は通信回線を介して前記自動販売機との間で情報を送受信することを特徴とする請求項２６記載の自動販売機。
【請求項２８】
前記管理端末は、少なくとも、商品に関する情報と自動販売機の動作に関する制御情報とを前記自動販売機に送信し、前記自動販売機は、少なくとも、販売情報と故障情報とを前記管理端末に送信することを特徴とする請求項２６または２７記載の自動販売機。
【発明の詳細な説明】
【０００１】
【発明の属する技術分野】
本発明は、携帯端末を用いて商品を購入するのに好適となる、自動販売機およびその商品販売システムに関する。
【０００２】
【従来の技術】
携帯電話機を用いて自動販売機の商品を購入する技術は、例えば特開平８−８７６５５号に開示されている。この技術に使用する携帯電話機は、ＩＣカードを装着し、このＩＣカードは、利用者の取引銀行情報（銀行識別番号、口座番号等）を予め記憶したものである。先ず、利用者は、携帯電話機を操作して購入要求信号を自動販売機に送信する。自動販売機は、この購入要求情報に対応する商品を払い出すとともに、この商品の金額情報を携帯電話機に送信する。携帯電話機は、この商品の金額情報を取引銀行情報と関連付けて記憶する。その後、利用者は、携帯電話機を通信回線（電話回線等）を介して取引銀行と接続する。取引銀行は、ＩＣカードの情報を基に、利用者の口座から必要金額を引き落とすとともに、営業所等の口座に振り込んで決済処理を行う。
【０００３】
また、自動販売機に制御情報を送信する技術は、例えば特開平８−１６１５９９号に開示されている。この技術は、光通信等の無線通信機能を有するポータブルコンピュータを用いて、自動販売機本体の外部から制御情報を送信するものである。
【０００４】
更に、自動販売機に対する苦情を処理する技術は、例えば特開平９−１２８６０７号に開示されている。この技術に使用する自動販売機は、自動販売機と管理者とを通信接続する有線または無線通信システム（例えばＰＨＳ）を有し、利用者はこの無線通信システムを介して管理者に苦情を送信する。
【０００５】
【発明が解決しようとする課題】
しかし、特開平８−８７６５５号では、決済処理を行うとき、利用者は携帯電話機を通信回線を介して取引銀行と接続しなければならない。従って、決済処理は利用者からの発信に依存してしまい、取引銀行側は決済処理までの時間が長引くとともに、利用者側は通信費用を負担しなければならない問題があった。
【０００６】
また、特開平８−１６１５９９号では、ルートマンは営業所が管轄する個々の自動販売機の設置場所まで出向いてポータブルコンピュータを操作しなければならないので、作業効率の低下に伴って、個々の自動販売機の制御動作を変更するまでの時間が長引いてしまう問題があった。
【０００７】
更に、特開平９−１２８６０７号では、個々の自動販売機は苦情処理のための専用の有線または無線通信システムを持たなければならないので、自動販売機自体のコストが上昇してしまう問題があった。
【０００８】
【課題を解決するための手段】
本発明は、前記問題点を解決するために創作されたものである。
【０００９】
請求項１の自動販売機の商品販売システムは、利用者の携帯端末と特定距離以下になったとき、前記携帯端末に商品に関する情報を送信する第１の無線通信手段と、前記第１の無線通信手段の受信内容に応じて商品販売を制御する制御手段と、を備えた自動販売機と、前記自動販売機と前記特定距離以下になったとき、前記商品に関する情報を受信して表示する表示手段と、前記表示手段の表示内容に基づいて、前記自動販売機に希望商品を販売要求するための情報を送信する第２の無線通信手段と、を備えた前記携帯端末と、から成る。
【００１０】
請求項２の自動販売機の商品販売システムは、請求項１に従属し、前記商品に関する情報は、広告情報である。
【００１１】
請求項３の自動販売機の商品販売システムは、請求項１に従属し、前記商品に関する情報は、アンケート情報であって、前記第１の無線通信手段は、前記アンケート情報に回答した利用者の前記携帯端末に、商品を割引販売するための情報を送信する。
【００１２】
請求項４の自動販売機の商品販売システムは、請求項１に従属し、前記商品に関する情報は、利用者が商品を割引購入する際に必要となるパスワードを要求する情報であって、前記制御手段は、前記第１の無線通信手段が正当なパスワードを受信することによって、商品を割引販売させる。
【００１３】
請求項５の自動販売機の商品販売システムは、請求項４に従属し、前記パスワードは、利用者がインターネット上の特定のサイトから得たものである。
【００１４】
請求項６の自動販売機の商品販売システムは、請求項１乃至５の何れかに従属し、前記携帯端末は、少なくとも利用者が利用する金融機関の口座情報を予め記憶した記憶媒体を有し、前記自動販売機は、前記口座情報と商品を販売したときの金額情報とを関連付けて記憶する記憶手段を有する。
【００１５】
請求項７の自動販売機の商品販売システムは、請求項６に従属し、前記記憶媒体は、前記携帯端末と着脱自在に外部接続されるとともに、情報を書き換え可能なメモリを内蔵したＩＣカードである。
【００１６】
請求項８の自動販売機の商品販売システムは、請求項６または７に従属し、前記自動販売機は、前記記憶手段に記憶された口座情報および金額情報を通信回線を介して前記金融機関に送信し、前記金融機関は、前記口座情報および前記金額情報に基づいて、利用者の口座から必要金額を引き落とすとともに、前記自動販売機を管理する営業所等の口座に振り込む。
【００１７】
請求項９の自動販売機の商品販売システムは、請求項８に従属し、前記記憶手段は、前記営業所等の口座情報を予め記憶し、前記自動販売機は、前記営業所等の口座情報を前記利用者の口座情報および金額情報とともに前記金融機関に送信する。
【００１８】
請求項１０の自動販売機の商品販売システムは、請求項１乃至５の何れかに従属し、前記携帯端末は、商品を購入するための価値情報を予め記憶する記憶手段を有し、前記自動販売機は、前記記憶手段の価値情報を、商品を販売する毎にこの商品の金額情報を減算した情報に書き換える書換手段を有する。
【００１９】
請求項１１の自動販売機の商品販売システムは、請求項１０に従属し、前記記憶手段は、前記携帯端末に内蔵されるとともに、情報を書き換え可能な不揮発性メモリである。
【００２０】
請求項１２の自動販売機の商品販売システムは、請求項１乃至１１の何れかに従属し、前記自動販売機と前記特定距離以下の範囲に設置されるとき、前記自動販売機の前記第１の無線通信手段との間で情報を送受信する第３の無線通信手段を備えた前記営業所等のための管理端末、から成る。
【００２１】
請求項１３の自動販売機の商品販売システムは、請求項１２に従属し、前記自動販売機と前記特定距離以上の範囲に設置されるとき、前記管理端末は通信回線を介して前記自動販売機との間で情報を送受信する。
【００２２】
請求項１４の自動販売機の商品販売システムは、請求項１２または１３に従属し、前記管理端末は、少なくとも、商品に関する情報と自動販売機の動作に関する制御情報とを前記自動販売機に送信し、前記自動販売機は、少なくとも、販売情報と故障情報とを前記管理端末に送信する。
【００２３】
請求項１５は、利用者の携帯端末と特定距離以下になったとき、前記携帯端末に商品に関する情報を送信する第１の無線通信手段と、前記第１の無線通信手段の受信内容に応じて商品販売を制御する制御手段と、を備えた自動販売機であって、前記自動販売機と前記特定距離以下になったとき、前記商品に関する情報を受信して表示する表示手段と、前記表示手段の表示内容に基づいて、前記自動販売機に希望商品を販売要求するための情報を送信する第２の無線通信手段と、を備えた前記携帯端末との間で、情報を送受信する。
【００２４】
請求項１６の自動販売機は、請求項１５に従属し、前記商品に関する情報は、広告情報である
請求項１７の自動販売機は、請求項１５に従属し、前記商品に関する情報は、アンケート情報であって、前記第１の無線通信手段は、前記アンケート情報に回答した利用者の前記携帯端末に、商品を割引販売するための情報を送信する。
【００２５】
請求項１８の自動販売機は、請求項１５に従属し、前記商品に関する情報は、利用者が商品を割引購入する際に必要となるパスワードを要求する情報であって、前記制御手段は、前記第１の無線通信手段が正当なパスワードを受信することによって、商品を割引販売させる。
【００２６】
請求項１９の自動販売機は、請求項１８に従属し、前記パスワードは、利用者がインターネット上の特定のサイトから得たものである。
【００２７】
請求項２０の自動販売機は、請求項１５乃至１９の何れかに従属し、前記携帯端末は、少なくとも利用者が利用する金融機関の口座情報を予め記憶した記憶媒体を有し、前記自動販売機は、前記口座情報と商品を販売したときの金額情報とを関連付けて記憶する記憶手段を有する。
【００２８】
請求項２１の自動販売機は、請求項２０に従属し、前記記憶媒体は、前記携帯端末と着脱自在に外部接続されるとともに、情報を書き換え可能なメモリを内蔵したＩＣカードである。
【００２９】
請求項２２の自動販売機は、請求項２０または２１に従属し、前記自動販売機は、前記記憶手段に記憶された口座情報および金額情報を通信回線を介して前記金融機関に送信し、前記金融機関は、前記口座情報および前記金額情報に基づいて、利用者の口座から必要金額を引き落とすとともに、前記自動販売機を管理する営業所等の口座に振り込む。
【００３０】
請求項２３の自動販売機は、請求項２２に従属し、前記記憶手段は、前記営業所等の口座情報を予め記憶し、前記自動販売機は、前記営業所等の口座情報を前記利用者の口座情報および金額情報とともに前記金融機関に送信する。
【００３１】
請求項２４の自動販売機は、請求項１５乃至１９の何れかに従属し、前記携帯端末は、商品を購入するための価値情報を予め記憶する記憶手段を有し、前記自動販売機は、前記記憶手段の価値情報を、商品を販売する毎にこの商品の金額情報を減算した情報に書き換える書換手段を有する。
【００３２】
請求項２５の自動販売機は、請求項２４に従属し、前記記憶手段は、前記携帯端末に内蔵されるとともに、情報を書き換え可能な不揮発性メモリである。
【００３３】
請求項２６の自動販売機は、請求項１５乃至２５の何れかに従属し、前記自動販売機と前記特定距離以下の範囲に設置されるとき、前記自動販売機の前記第１の無線通信手段との間で情報を送受信する第３の無線通信手段を備えた前記営業所等のための管理端末、を設けたものである。
【００３４】
請求項２７の自動販売機は、請求項２６に従属し、前記自動販売機と前記特定距離以上の範囲に設置されるとき、前記管理端末は通信回線を介して前記自動販売機との間で情報を送受信する。
【００３５】
請求項２８の自動販売機は、請求項２６または２７に従属し、前記管理端末は、少なくとも、商品に関する情報と自動販売機の動作に関する制御情報とを前記自動販売機に送信し、前記自動販売機は、少なくとも、販売情報と故障情報とを前記管理端末に送信する。
【００３６】
以上より、自動販売機は、携帯端末と特定距離範囲内となったとき、商品に関する情報を携帯端末に送信するので、多くの携帯端末所有者に商品購入のための意志を持たせ、商品販売数を増加できる。特に、自動販売機は、利用者がアンケート情報に回答したり、或いは、利用者がインターネット上の特定のサイトからパスワードを得ていれば、商品を割引販売するので、商品販売数を確実に増加できる。また、自動販売機と金融機関との間で決済処理を行うので、決済処理に要する時間を短縮できるとともに、利用者が通信費用を負担するのを防止できる。更に、管理端末は、自動販売機に商品に関する情報、制御情報等を送信するとともに、自動販売機から販売情報、故障情報等を受信するので、ルートマンが個々の自動販売機の設置場所まで出向いてポータブルコンピュータを操作するという、面倒な作業を省略でき、個々の自動販売機の仕様を変更するまでの時間を短縮できる。
【００３７】
【発明の実施の形態】
本発明の詳細を図面に従って具体的に説明する。
【００３８】
図１は、本発明の自動販売機の商品販売システムを説明するための図である。
【００３９】
図１において、複数の自動販売機１は、後述の携帯端末および管理端末と双方向通信を行うための近距離無線通信部２（第１の無線通信手段）を内蔵し、営業所の管轄内に設置される。この近距離無線通信部２の無線通信方式としては、Ｂｌｕｅｔｏｏｔｈ、ＩＥＥＥ８０２．１１、ＨｏｍｅＲＦ等が存在するが、本発明の実施の形態では、Ｂｌｕｅｔｏｏｔｈを使用するものとする。Ｂｌｕｅｔｏｏｔｈは、２．４ＧＨｚの周波数帯域ＩＳＭ（Ｉｎｄｕｓｔｒｙ  Ｓｃｉｅｎｃｅ  Ｍｅｄｉｃａｌ）を使用して、１０ｍ程度の特定距離範囲に存在するモバイル機器等の様々な機器を１対１または複数対１で接続し、１Ｍｂｐｓの情報を双方向通信で提供するものである。
【００４０】
携帯電話３（携帯端末）は、複数の自動販売機１と双方向通信を行うための、近距離無線通信部２と同様の近距離無線通信部４（第２の無線通信手段）を内蔵する。また、携帯電話３は、利用者が取り扱う金融機関の口座情報が予め記憶されたＩＣカード５を着脱自在に保持する。利用者が携帯電話３を携行しながら、徒歩、自転車、車等で移動し、自動販売機１と携帯電話３とが特定距離（１０ｍ程）まで近づくと、携帯電話３の近距離無線通信部４は、自動販売機１の近距離無線通信部２から商品に関する情報（おすすめ商品の広告情報、アンケート情報等）を受信する。このとき、携帯電話３は、表示部６に商品に関する情報を表示するとともに、利用者に表示部６上の情報を確認するための注意（音、振動等）を促す。その後、携帯電話３の無線通信制御部４は、利用者の携帯電話３の操作に従って、自動販売機１の近距離無線通信部２に希望商品を販売要求するための情報を送信する。
【００４１】
金融機関７は、自動販売機１から利用者の口座情報と商品購入の金額情報とを月単位（または週単位、日単位等）で受信し、利用者の口座から必要金額を引き落とすものである。自動販売機１の近距離無線通信部２は、利用者が希望商品を購入したとき、携帯電話３の近距離無線通信部４からＩＣカード５に記憶済みの口座情報を受信する。自動販売機１は、この口座情報と金額情報とを関連付けて記憶しているのである。
【００４２】
管理端末８は、複数の自動販売機１と双方向通信を行うための、近距離無線通信部２と同様の近距離無線通信部９（第３の無線通信手段）を内蔵し、営業所または店舗に設置される。自動販売機１と管理端末８との設置距離が特定距離範囲（１０ｍ程度）のとき、管理端末８の近距離無線通信部９は、自動販売機１の近距離無線通信部２から販売情報と故障情報とを受信するとともに、自動販売機１の近距離無線通信部２に商品に関する情報と自動販売機１の動作に関する制御情報とを送信することができる。
【００４３】
複数の自動販売機１、携帯電話３、金融機関７、管理端末８は、通信回線１０と接続される。特に、自動販売機１と管理端末８との設置距離が特定距離（１０ｍ程度）より長いとき、自動販売機１は、通信回線１０を介して管理端末に販売情報と故障情報とを送信し、管理端末８は、通信回線１０を介して自動販売機１に商品に関する情報と自動販売機１の動作に関する制御情報とを送信する。また、携帯電話３は、通信回線１０を介してインターネット１１上のサイトをアクセスできる。
【００４４】
図２は、図１の自動販売機の正面図であり、例えば缶飲料を販売するものとする。
【００４５】
図２において、前扉１０１は、自動販売機１の左側面端を支軸として開閉するものであり、コラム設定、缶飲料補充等を行うときは開錠して開き、通常販売を行うときは施錠して閉じておくものである。パネル１０２は、透明な樹脂板であり、内部に陳列されている複数種類の缶飲料サンプル１０３を確認するためのものである。つまり、利用者は、パネル１０２を通して複数種類の缶飲料サンプル１０３を見渡すことにより、購入したい缶飲料を選択できる。硬貨投入口１０４は、利用者が硬貨を投入する部分であり、投入硬貨は自動販売機内部のコインメカに供給される。紙幣挿入口１０５は、利用者が紙幣を挿入する部分であり、挿入紙幣は自動販売機内部のビルバリに供給される。表示部１０６は、投入硬貨金額、挿入紙幣金額等を表示するものである。商品選択釦１０７は、販売可ランプおよび売り切れランプを内蔵し、缶飲料サンプル１０３それぞれに対応してパネル１０２に設けられるものである。販売可ランプは、利用者が少なくとも１本の缶飲料を購入できる硬貨投入または紙幣挿入を行うと、自動販売機内部のコラムに缶飲料が収容されている場合のみ、この缶飲料に対応するものが点灯する。売り切れランプは、自動販売機内部の所定コラムが空になると、この缶飲料に対応するものが常時点灯する。販売可ランプが点灯している商品選択釦１０７を押下すると、この缶飲料サンプル１０３に対応する缶飲料が商品取出口１０８まで搬出される。返却レバー１０９は、投入硬貨を返却口１１０から返却したり、投入硬貨または挿入紙幣から缶飲料購入金額を差し引いた釣銭を返却口１１０から返却したりするためのものである。
【００４６】
図３は、図１の自動販売機の動作を説明するためのブロック図である。
【００４７】
図３において、主制御部２０１は、自動販売機の制御を統括するものであり、ＲＯＭ２０２、ＣＰＵ２０３、ＲＡＭ２０４と、先の近距離無線通信部２という周辺回路とを内蔵したマイクロコンピュータから成るものである。詳しくは、ＲＯＭ２０２は、近距離無線通信部２を制御するためのプログラムデータと、後述する複数の従制御部を統括制御するためのプログラムデータとを予め記憶したものである。ＣＰＵ２０３は、ＲＯＭ２０２から読み出されたプログラムデータの解読結果に従って、近距離無線通信部２を制御するとともに複数の従制御部を統括制御するものである。ＲＡＭ２０４は、ＣＰＵ２０３による演算結果、近距離無線通信部２の送受信データ、複数の従制御部からの各種データ等の書き込みまたは読み出しを行うものである。ハードウエア面では、ＲＯＭ２０２は、データを製造工程で焼き付け固定するマスクＲＯＭ、データを紫外線消去することによりデータを繰り返し書き込み読み出しできるＥＰＲＯＭ、またはデータを電気消去することによりデータを繰り返し書き込み読み出しできるＥＥＰＲＯＭ（フラッシュメモリを含む）等の不揮発性メモリである。ＣＰＵ２０３は、ＲＯＭ２０２の実行アドレスを指定するプログラムカウンタ、ＲＯＭ２０２からの読み出し内容を解読するインストラクションデコーダ、論理演算を行う演算論理ユニット、演算データを一時格納するアキュムレータ等を内蔵する。ＲＡＭ２０４は、ＳＲＡＭ等の揮発性メモリである。
【００４８】
硬貨処理制御部２０５、紙幣処理制御部２０６、接客制御部２０７、販売制御部２０８、通信制御部２０９は、複数の従制御部に相当し、ハードウエア面において、主制御部２０１と同様のＲＯＭ、ＣＰＵ、ＲＡＭを内蔵する。コインメカ２１０は、釣銭切れを検出する釣銭切れセンサを備え、硬貨投入口１０４からの投入硬貨を受け取り、必要に応じて釣銭を返却口１１０から返却するものである。硬貨処理制御部２０５は、コインメカ２１０を制御し、投入硬貨の金種、正偽等の判別、金種別枚数の計算、金庫への余剰硬貨の収容、釣銭払い出し等を行わせるものである。ビルバリ２１１は、コインメカ２１０と同様に、釣札切れを検出する釣札切れセンサを備え、紙幣挿入口１０５からの挿入紙幣を受け取り、必要に応じて釣札を紙幣挿入口１０５から返却するものである。紙幣処理制御部２０６は、ビルバリ２１１を制御し、挿入紙幣の金種、正偽等の判別、金種別枚数の計算、釣札払い出し等を行わせるものである。硬貨処理制御部２０５および紙幣処理制御部２０６は、硬貨投入および紙幣挿入が行われるその都度、処理動作を実行する。尚、コインメカ２１０およびビルバリ２１１の代わりに、先払いカードまたは後払いカードを挿入するカード読み取り装置（図示せず）を設けることによって、商品を販売できるようにしてもよい。接客部２１２は、表示部１０６と、複数種類の缶飲料サンプル１０３に対応して設けられた複数の商品選択釦１０７と、販売中、販売中止、釣銭切れを表すランプと、を備えたものである。接客制御部２０７は、接客部２１２を制御する。つまり、接客制御部２０７は、主制御部２０１からの缶飲料販売に関する接客指示に従って、販売中、販売中止、釣銭切れを表すランプを点灯させたり、販売飲料別の販売可ランプまたは売り切れランプを点灯させたり、更には、複数の商品選択釦１０７の何れが押下されたのかを検出し、このときの検出信号を主制御部２０１に送信したりする。販売機構２１３は、利用者が希望する缶飲料を商品取出口１０８まで搬出させるものである。販売制御部２０８は、販売機構２１３を制御し、接客制御部２０７からの前記検出信号に応答した主制御部２０１からの販売指示に従って、利用者の希望商品を商品取出口１０８まで搬出させる。通信制御部２０９は、通信回線１０を介して金融機関７または管理端末８との間でデータ送受信を行うものである。
【００４９】
図４は、図１の携帯電話の動作を説明するためのブロック図である。
【００５０】
図４において、ＲＯＭ３０１は、携帯電話３の通信動作と近距離無線通信部４の通信動作とを制御するためのプログラムデータを予め記憶したものである。尚、ＲＯＭ３０１は、マスクＲＯＭ、ＥＰＲＯＭ、ＥＥＰＲＯＭ等の不揮発性メモリである。ＣＰＵ３０２は、ＲＯＭ３０１からのプログラムデータの解読結果に従って、携帯電話３の各種動作を制御するものである。ＲＡＭ３０３は、 ＣＰＵ３０２による演算結果、近距離無線通信部４の送受信データ等の書き込みまたは読み出しを行うものである。尚、ＲＡＭ３０３は、ＳＲＡＭ等の揮発性メモリである。テンキー３０４は、利用者が相手先の電話番号またはインターネットのＵＲＬ等を入力するためのものである。電波送受信部３０５は、アンテナ３０６を介して相手先に情報を送信したり、アンテナ３０６を介して相手先から情報を受信したりするものである。表示部６は、送信情報または受信情報を表示するものである。価値記憶部３０７は、商品を購入するための価値情報（例えば１０００円に相当する情報）を予め記憶しておくものである。尚、価値記憶部３０７は、データを書き換えできるＥＥＰＲＯＭ等の不揮発性メモリである。カード接続部３０８は、外部のＩＣカード５と接続されることによって、携帯電話３とＩＣカード５との間のインターフェイスを行うものである。ＩＣカード５は、少なくとも利用者が取り扱う金融機関７の口座情報を記憶する記憶部３０９と、記憶部３０９に対する情報の書き込みおよび読み出しを制御する制御部３１０と、を内蔵する。さて、価値記憶部３０７の価値情報を書き換えるとき（例えば１０００円に相当する情報を追加するとき）、以下の通信を行えばよい。先ず、利用者は、携帯電話３を金融機関７が開設するインターネット１１上のホームページと接続し、案内文に従って、ＩＣカード５に記憶済みの口座情報を送信するとともに価値情報の書き換えを要求する。金融機関７は、利用者の口座から要求金額を減額するとともに価値情報に変換して携帯電話３に送信する。同時に、金融機関７は、営業所等の口座に要求金額を振り込む。携帯電話３は、価値記憶部３０７の価値情報を受信済みの新しい価値情報に書き換える。
【００５１】
図５は、図１の管理端末を説明するためのブロック図である。
図５において、記憶部４０１は、商品に関する情報（例えば広告情報）、自動販売機の動作に関する制御情報、自動販売機の販売情報、自動販売機の故障情報等を、個々の自動販売機１毎のテーブルに記憶するものである。通信制御部４０２は、通信回線１０を介して自動販売機１および金融機関７との間でデータ送受信を行うものである。制御部４０３は、記憶部４０１の書き込みおよび読み出し動作と、通信制御部４０２の通信動作と、近距離通信制御部９の通信動作とを制御するものである。
「第１の実施の形態」
以下、利用者が商品を購入する第１の実施の形態について、図６のフローチャートと図７の案内画面とを用いて説明する。尚、利用者は、近距離無線通信部４を備えた携帯電話３を携行し、徒歩、自転車、車等で移動しているものとする。
【００５２】
先ず、主制御部２０１は、自動販売機１と携帯電話３との距離が特定距離範囲（１０ｍ程度）であるかどうかを判別する（Ａ１）。主制御部２０１は、自動販売機１と携帯電話３との距離が特定距離範囲まで近づいたものと判別すると（Ａ１：ＹＥＳ）、ＲＯＭ２０２から図７（ａ）の商品に関する広告情報を読み出すとともに、自動販売機１の近距離無線通信部２から携帯電話３の近距離無線通信部４へ送信する。携帯電話３は、表示部６に商品に関する広告情報を表示するとともに、利用者に着信の事実を音、振動等の図示しない手段で知らせる（Ａ２）。その後、利用者は、図７（ａ）の表示画面を確認し、商品を購入する“１”または商品を購入しない“２”の何れかのテンキー３０４を押下することになるので、主制御部２０１は、“１”または“２”の何れのテンキー３０４が押下されたのかを判別する（Ａ３）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品を購入するものと判別すると（Ａ３：ＹＥＳ）、ＲＯＭ２０２から図７（ｂ）の支払方法に関する情報を読み出すとともに、自動販売機１の近距離無線通信部２から携帯電話３の近距離無線通信部４へ送信する。携帯電話３は、表示部６に支払方法に関する情報を表示する（Ａ４）。その後、利用者は、図７（ｂ）の表示画面を確認し、ＩＣカード“１”、価値情報“２”、現金“３”の何れかのテンキー３０４を押下することになるので、主制御部２０１は、“１”、“２”、“３”の何れのテンキー３０４が押下されたのかを判別する（Ａ５）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品購入金額をＩＣカード５で支払うものと判別すると（Ａ５：ＹＥＳ）、ＲＯＭ２０２から図７（ｃ）の支払方法に関する確認情報を読み出すとともに、自動販売機１の近距離無線通信部２から携帯電話３の近距離無線通信部４へ送信する。携帯電話３は、表示部６に支払方法に関する確認情報を表示する（Ａ６）。その後、利用者は、図７（ｃ）の表示画面を確認し、ＯＫ“１”、ＮＯ“２”の何れかのテンキー３０４を押下することになるので、主制御部２０１は、“１”、“２”の何れのテンキー３０４が押下されたのかを判別する（Ａ７）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品購入金額をＩＣカード５で支払うことを確認したものと判別すると（Ａ７：ＹＥＳ）、利用者が取り扱う金融機関７の口座情報を要求する情報を、自動販売機１の近距離無線通信部２から携帯電話３の近距離無線通信部４へ送信する。携帯電話３は、ＩＣカード５の記憶部３０９から口座情報を読み出すとともに、携帯電話３の近距離無線通信部４から自動販売機１の近距離無線通信部２へ送信する（Ａ８）。主制御部２０１は、口座情報を受信したものと判別すると（Ａ９：ＹＥＳ）、ＲＡＭ２０４の口座情報記憶領域に口座情報を書き込んだ後に、ＲＯＭ２０２から図７（ｄ）の商品に関する選択情報を読み出すとともに、自動販売機１の近距離無線通信部２から携帯電話３の近距離無線通信部４へ送信する。携帯電話３は、表示部６に商品に関する選択情報を表示する（Ａ１０）。その後、利用者は、図７（ｄ）の表示画面を確認し、コーラ“１”、オレンジ“２”、お茶“３”・・・の何れかのテンキー３０４を押下することになるので、主制御部２０１は、“１”、“２”、“３”・・・の何れのテンキー３０４が押下されたのかを判別する（Ａ１１）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者がコーラを購入したいものと判別すると（Ａ１１：ＹＥＳ）、販売制御部２０８を制御することによって、販売機構２１３からコーラの缶飲料を払い出す（Ａ１２）。主制御部２０１は、ＲＡＭ２０４の金額情報記憶領域に、このときの商品販売金額情報を、口座情報記憶領域の口座情報と関連付けて書き込む（Ａ１３）。その後、主制御部２０１は、通信制御部２０９を制御することによって、通信回線１０を介して自動販売機１と金融機関７とを通信接続する。主制御部２０１は、ＲＡＭ２０４から利用者毎の口座情報および商品販売金額情報を読み出すとともに金融機関７に送信する。金融機関７は、この口座情報および商品販売金額情報に基づいて、利用者の口座から必要金額を引き落とすとともに、自動販売機１を管轄する営業所等の口座に振り込み、決済処理を終了する。尚、自動販売機１から金融機関７へ口座情報および商品販売金額情報を送信するタイミングは、月単位、週単位、日単位等である（Ａ１４）。
【００５３】
先のステップＡ５に戻り、主制御部２０１は、“１”情報を受信せず、利用者が商品購入金額をＩＣカード５以外で支払うものと判別すると（Ａ５：ＮＯ）、次に、主制御部２０１は、残りの“２”、“３”の何れのテンキー３０４が押下されたのかを判別する（Ａ１５）。例えば、利用者が“２”のテンキー３０４を押下すると、携帯電話３は、“２”情報を携帯電話３の近距離無線通信部４から自動販売機１の近距離無線通信部２へ送信する。主制御部２０１は、“２”情報を受信することによって、利用者が商品購入金額を価値記憶部３０７の価値情報で支払うものと判別すると（Ａ１５：ＹＥＳ）、ＲＯＭ２０２から図７（ｅ）の支払方法に関する確認情報を読み出すとともに、自動販売機１の近距離無線通信部２から携帯電話３の近距離無線通信部４へ送信する。携帯電話３は、表示部６に支払方法に関する確認情報を表示する（Ａ１６）。その後、利用者は、図７（ｅ）の表示画面を確認し、ＯＫ“１”、ＮＯ“２”の何れかのテンキー３０４を押下することになるので、主制御部２０１は、“１”、“２”の何れのテンキー３０４が押下されたのかを判別する（Ａ１７）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品購入金額を価値記憶部３０７の価値情報で支払うことを確認したものと判別すると（Ａ１７：ＹＥＳ）、価値記憶部３０７の価値情報を要求する情報を、自動販売機１の近距離無線通信部２から携帯電話３の近距離無線通信部４へ送信する。携帯電話３は、価値記憶部３０７から価値情報を読み出すとともに、携帯電話３の近距離無線通信部４から自動販売機１の近距離無線通信部２へ送信する（Ａ１８）。主制御部２０１は、価値情報を受信したものと判別すると（Ａ１９：ＹＥＳ）、ＲＡＭ２０４の価値情報記憶領域に価値情報を書き込んだ後に、ＲＯＭ２０２から図７（ｄ）の商品に関する選択情報を読み出すとともに、自動販売機１の近距離無線通信部２から携帯電話３の近距離無線通信部４へ送信する。携帯電話３は、表示部６に商品に関する選択情報を表示する（Ａ２０）。その後、利用者は、図７（ｄ）の表示画面を確認し、コーラ“１”、オレンジ“２”、お茶“３”・・・の何れかのテンキー３０４を押下することになるので、主制御部２０１は、“１”、“２”、“３”・・・の何れのテンキー３０４が押下されたのかを判別する（Ａ２１）。例えば、利用者が“２”のテンキー３０４を押下すると、携帯電話３は、“２”情報を携帯電話３の近距離無線通信部４から自動販売機１の近距離無線通信部２へ送信する。主制御部２０１は、“２”情報を受信することによって、利用者がオレンジジュースを購入したいものと判別すると（Ａ２１：ＹＥＳ）、販売制御部２０８を制御することによって、販売機構２１３からオレンジジュースの缶飲料を払い出す（Ａ２２）。主制御部２０１は、ＲＡＭ２０４の価値情報記憶領域から価値情報（例えば１０００円）を読み出して商品販売金額（例えば１２０円）を減額し、このときの残額情報を自動販売機１の近距離無線通信部２から携帯電話３の近距離無線通信部４へ送信する。携帯電話３は、価値記憶部３０７に残額情報を新たな価値情報として記憶する（Ａ２３）。
【００５４】
先のステップＡ１５に戻り、主制御部２０１は、“１”情報、“２”情報ともに受信せず、利用者が商品購入金額を現金で支払うものと判別すると（Ａ１５：ＮＯ）、ＲＯＭ２０２から図７（ｆ）の支払方法に関する確認情報を読み出すとともに、自動販売機１の近距離無線通信部２から携帯電話３の近距離無線通信部４へ送信する。携帯電話３は、表示部６に支払方法に関する確認情報を表示する（Ａ２４）。その後、利用者は、図７（ｆ）の表示画面を確認し、ＯＫ“１”、ＮＯ“２”の何れかのテンキー３０４を押下することになるので、主制御部２０１は、“１”、“２”の何れのテンキー３０４が押下されたのかを判別する（Ａ２５）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品購入金額を現金で支払うことを確認したものと判別すると（Ａ２５：ＹＥＳ）、次に、少なくとも１本の缶飲料を販売できる金銭を取り込んだかどうかを判別する（Ａ２６）。主制御部２０１は、硬貨処理制御部２０５がコインメカ２１０への硬貨投入を検出するか、または、紙幣処理制御部２０６がビルバリ２１１への紙幣挿入を検出することによって、金銭を取り込んだものと判別すると（Ａ２６：ＹＥＳ）、ＲＯＭ２０２から図７（ｄ）の商品に関する選択情報を読み出すとともに、自動販売機１の近距離無線通信部２から携帯電話３の近距離無線通信部４へ送信する。携帯電話３は、表示部６に商品に関する選択情報を表示する（Ａ２７）。その後、利用者は、図７（ｄ）の表示画面を確認し、コーラ“１”、オレンジ“２”、お茶“３”・・・の何れかのテンキー３０４を押下することになるので、主制御部２０１は、“１”、“２”、“３”・・・の何れのテンキー３０４が押下されたのかを判別する（Ａ２８）。例えば、利用者が“３”のテンキー３０４を押下すると、携帯電話３は、“３”情報を携帯電話３の近距離無線通信部４から自動販売機１の近距離無線通信部２へ送信する。主制御部２０１は、“３”情報を受信することによって、利用者がお茶を購入したいものと判別すると（Ａ２８：ＹＥＳ）、販売制御部２０８を制御することによって、販売機構２１３からお茶の缶飲料を払い出す（Ａ２９）。
【００５５】
尚、自動販売機１は商品選択釦１０７を有するが、自動販売機１と携帯電話３との間の近距離無線通信で商品を購入できるようにしたので、商品選択釦７を省略してもよい。これより、自動販売機１の製造コストを低減できる。
「第２の実施の形態」
以下、利用者が商品を購入する第２の実施の形態について、図８のフローチャートと図９の案内画面とを用いて説明する。尚、利用者は、近距離無線通信部４を備えた携帯電話３を携行し、徒歩、自転車、車等で移動しているものとする。
【００５６】
先ず、主制御部２０１は、自動販売機１と携帯電話３との距離が特定距離範囲（１０ｍ程度）であるかどうかを判別する（Ｂ１）。主制御部２０１は、自動販売機１と携帯電話３との距離が特定距離範囲（１０ｍ程度）まで近づいたものと判別すると（Ｂ１：ＹＥＳ）、ＲＯＭ２０２から図９（ａ）の商品に関する広告情報を読み出すとともに、自動販売機１の近距離無線通信部２から携帯電話３の近距離無線通信部４へ送信する。携帯電話３は、表示部６に商品に関する広告情報を表示するとともに、利用者に着信の事実を音、振動等の図示しない手段で知らせる（Ｂ２）。その後、利用者は、図９（ａ）の広告画面を確認した後に、アンケートに回答する“１”またはアンケートに回答しない“２”の何れかのテンキー３０４を押下することになるので、主制御部２０１は、“１”または“２”の何れのテンキー３０４が押下されたのかを判別する（Ｂ３）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者がアンケートに回答するものと判別すると（Ｂ３：ＹＥＳ）、ＲＯＭ２０２からアンケート情報を読み出すとともに、自動販売機１の近距離無線通信部２から携帯電話３の近距離無線通信部４へ送信する。携帯電話３は、表示部６にアンケート情報を表示し、アンケートに対する回答情報を携帯電話３の近距離無線通信部４から自動販売機１の近距離無線通信部２へ送信する（Ｂ４）。主制御部２０１は、アンケートに対する回答情報を受信したものと判別すると（Ｂ５：ＹＥＳ）、ＲＯＭ２０２から図９（ｂ）の商品購入に関する情報を読み出すとともに、自動販売機１の近距離無線通信部２から携帯電話３の近距離無線通信部４へ送信する。携帯電話３は、表示部６に商品購入に関する情報を表示する（Ｂ６）。その後、利用者は、図９（ｂ）の表示画面を確認し、商品を購入する“１”または商品を購入しない“２”の何れかのテンキー３０４を押下することになるので、主制御部２０１は、“１”または“２”の何れのテンキー３０４が押下されたのかを判別する（Ｂ７）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品を購入するものと判別すると（Ｂ７：ＹＥＳ）、図６のステップＡ４以降と同様の処理を実行する。尚、図６のステップ４以降の処理は割引販売を考慮していないが、このときの商品販売金額を割引金額（例えば５％引き）に置き換えて考えればよい。
【００５７】
尚、スーパーマーケット等の店舗に設置されるレジスター装置に、自動販売機１と同様の近距離無線通信部を設けてもよい。これより、客は、アンケートに対する回答情報を携帯電話３の近距離無線通信部４からレジスター装置の近距離無線通信部へ送信することによって、商品を割引購入できる。
「第３の実施の形態」
以下、利用者が商品を購入する第３の実施の形態について、図１０のフローチャートと図１１の案内画面とを用いて説明する。尚、利用者は、近距離無線通信部４を備えた携帯電話３を携行し、徒歩、自転車、車等で移動しているものとする。また、缶飲料の製造会社は、インターネット上のホームページで商品に関するアンケートを実施しており、利用者が携帯電話３からホームページへアクセスしてアンケートに回答したとき、缶飲料を割引販売するためのパスワードを発行するものとする。また、缶飲料の製造会社は、通信回線１０を介して自動販売機１に発行済みパスワードを送信し、自動販売機１は、ＲＡＭ２０４に発行済みパスワードを書き込むものとする。
【００５８】
先ず、主制御部２０１は、自動販売機１と携帯電話３との距離が特定距離範囲（１０ｍ程度）であるかどうかを判別する（Ｃ１）。主制御部２０１は、自動販売機１と携帯電話３との距離が特定距離範囲（１０ｍ程度）まで近づいたものと判別すると（Ｃ１：ＹＥＳ）、ＲＯＭ２０２から図１１（ａ）のパスワードの有無を確認する情報を読み出すとともに、自動販売機１の近距離無線通信部２から携帯電話３の近距離無線通信部４へ送信する。携帯電話３は、表示部６にパスワードの有無を確認する情報を表示するとともに、利用者に着信の事実を音、振動等の図示しない手段で知らせる（Ｃ２）。その後、利用者は、図１１（ａ）の表示画面を確認し、パスワードを持っている“１”またはパスワードを持っていない“２”の何れかのテンキー３０４を押下することになるので、主制御部２０１は、“１”または“２”の何れのテンキー３０４が押下されたのかを判別する（Ｃ３）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者がパスワードを持っているものと判別すると（Ｃ３：ＹＥＳ）、ＲＯＭ２０２から図１１（ｂ）のパスワードを要求する情報を読み出すとともに、自動販売機１の近距離無線通信部２から携帯電話３の近距離無線通信部４へ送信する。携帯電話３は、表示部６にパスワードを要求する情報を表示する（Ｃ４）。その後、利用者は、図１１（ｂ）の表示画面を確認し、パスワードと同じテンキー３０４を押下することになるので、主制御部２０１は、ＲＡＭ２０４の発行済みパスワードを参照し、発行済みパスワードと同じテンキー３０４が押下されたかどうかを判別する（Ｃ５）。携帯電話３は、利用者がテンキー３０４を押下したままの情報を携帯電話３の近距離無線通信部４から自動販売機１の近距離無線通信部２へ送信する。主制御部２０１は、この情報が発行済みパスワードと一致して正当であるものと判別すると（Ｃ５：ＹＥＳ）、ＲＯＭ２０２から図１１（ｃ）の商品割引購入に関する情報を読み出すとともに、自動販売機１の近距離無線通信部２から携帯電話３の近距離無線通信部４へ送信する。携帯電話３は、表示部６に商品割引購入に関する情報を表示する（Ｃ６）。その後、利用者は、図１１（ｃ）の表示画面を確認し、商品を購入する“１”または商品を購入しない“２”の何れかのテンキー３０４を押下することになるので、主制御部２０１は、“１”または“２”の何れのテンキー３０４が押下されたのかを判別する（Ｃ７）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品を購入するものと判別すると（Ｃ７：ＹＥＳ）、ＲＡＭ２０４から先の発行済みパスワードのみを消去する（Ｃ８）。その後、主制御部２０１は、図６のステップＡ４以降と同様の処理を実行する。尚、図６のステップ４以降の処理は割引販売を考慮していないが、このときの商品販売金額を割引金額（例えば５％引き）に置き換えて考えればよい。
【００５９】
先のステップＣ３に戻り、主制御部２０１は、“２”情報を受信することによって、利用者がパスワードを持っていないものと判別すると（Ｃ３：ＮＯ）、ＲＯＭ２０２から図１１（ｄ）の割引のない商品購入に関する情報を読み出すとともに、自動販売機１の近距離無線通信部２から携帯電話３の近距離無線通信部４へ送信する。携帯電話３は、表示部６に商品購入に関する情報を表示する（Ｃ９）。その後、利用者は、図１１（ｄ）の表示画面を確認し、商品を購入する“１”または商品を購入しない“２”の何れかのテンキー３０４を押下することになるので、主制御部２０１は、“１”または“２”の何れのテンキー３０４が押下されたのかを判別する（Ｃ１０）。例えば、利用者が“１”のテンキー３０４を押下すると、携帯電話３は、“１”情報を携帯電話３の近距離無線通信部４から自動販売機１の近距離無線通信部２へ送信する。主制御部２０１は、“１”情報を受信することによって、利用者が商品を購入するものと判別すると（Ｃ１０：ＹＥＳ）、図６のステップＡ４以降と同様の処理を実行する。
【００６０】
尚、スーパーマーケット等の店舗に設置されるレジスター装置に、自動販売機１と同様の近距離無線通信部を設けてもよい。これより、客は、パスワードを携帯電話３の近距離無線通信部４からレジスター装置の近距離無線通信部へ送信することによって、商品を割引購入できる。
【００６１】
【発明の効果】
本発明によれば、以下の効果を得ることができる。
（１）自動販売機は、携帯端末と特定距離範囲内となったとき、商品に関する情報を携帯端末に送信するので、多くの携帯端末所有者に商品購入のための意志を持たせ、商品販売数を増加できる。特に、自動販売機は、利用者がアンケート情報に回答したり、或いは、利用者がインターネット上の特定のサイトからパスワードを得ていれば、商品を割引販売するので、商品販売数を確実に増加できる。
（２）自動販売機と金融機関との間で決済処理を行うので、決済処理に要する時間を短縮できるとともに、利用者が通信費用を負担するのを防止できる。
（３）管理端末は、自動販売機に商品に関する情報、制御情報等を送信するとともに、自動販売機から販売情報、故障情報等を受信するので、ルートマンが個々の自動販売機の設置場所まで出向いてポータブルコンピュータを操作するという、面倒な作業を省略でき、個々の自動販売機の制御動作を変更するまでの時間を短縮できる。
（４）商品の販売元または製造元は、商品の販売数の増加を見込めるとともに、アンケートに対する回答情報（年齢、性別、商品に関する意見等）を、新商品を開発する際の重要な情報として利用できる。
【図面の簡単な説明】
【図１】本発明の自動販売機の商品販売システムを説明するための図である。
【図２】図１の自動販売機の正面図である。
【図３】図１の自動販売機の動作を説明するためのブロック図である。
【図４】図１の携帯電話の動作を説明するためのブロック図である。
【図５】図１の管理端末を説明するためのブロック図である。
【図６】第１の実施の形態を説明するためのフローチャートである。
【図７】第１の実施の形態を説明するための案内画面である。
【図８】第２の実施の形態を説明するためのフローチャートである。
【図９】第２の実施の形態を説明するための案内画面である。
【図１０】第３の実施の形態を説明するためのフローチャートである。
【図１１】第３の実施の形態を説明するための案内画面である。
【符号の説明】
１  自動販売機
２  近距離無線通信部
３  携帯電話
４  近距離無線通信部
５  ＩＣカード
６  表示部
７  金融機関
８  管理端末
９  近距離無線通信部
１０  通信回線
１１  インターネット
２０１  主制御部
２０８  販売制御部
２０９  通信制御部
４０２  通信制御部
【図１】
0004337257.tif 000002
【図２】
0004337257.tif 000003
【図３】
0004337257.tif 000004
【図４】
0004337257.tif 000005
【図５】
0004337257.tif 000006
【図６】
0004337257.tif 000007
【図７】
0004337257.tif 000008
【図８】
0004337257.tif 000009
【図９】
0004337257.tif 000010
【図１０】
0004337257.tif 000011
【図１１】
0004337257.tif 000012